(57)【要約】【課題】筐体の内部または外部のどちらに配置されているか自身で判断することが可能な制御装置およびそれを用いた分電盤並びにインターホン装置を提供する。【解決手段】制御装置１０は、第１接続口１および第２接続口２が設けられた第１筐体４と、第１筐体４に収納され第１接続口１および第２接続口２と電気的に接続された本体部３とを備えている。本体部３は、制御対象である外部機器を制御する制御部５と、外部機器と通信する通信部６と、第１筐体４を収納可能な第２筐体の内部に第１筐体４が配置されているか否かを判定する判定部７とを備えている。判定部７は、第１接続口１に第１電源が接続されたときに第１筐体４が第２筐体の内部に配置されていると判定し、かつ、第２接続口２に第２電源が接続されたときに第１筐体４が第２筐体の内部に配置されていないと判定するように構成されている。【選択図】図１
2016082289.tif 000002
【特許請求の範囲】
【請求項１】
第１接続口および第２接続口が設けられた第１筐体と、前記第１筐体に収納され前記第１接続口および前記第２接続口と電気的に接続された本体部とを備え、
前記第１接続口は、第１電源を電気的に接続可能に構成され、
前記第２接続口は、第２電源を電気的に接続可能に構成され、
前記本体部は、前記第１電源もしくは前記第２電源から電力が供給されるように構成され、前記本体部は、制御対象である外部機器を制御する制御部と、前記外部機器と通信する通信部と、前記第１筐体を収納可能な第２筐体の内部に前記第１筐体が配置されているか否かを判定する判定部とを備え、
前記判定部は、前記第１接続口に前記第１電源が接続されたときに前記第１筐体が前記第２筐体の内部に配置されていると判定し、かつ、前記第２接続口に前記第２電源が接続されたときに前記第１筐体が前記第２筐体の内部に配置されていないと判定するように構成されている
ことを特徴とする制御装置。
【請求項２】
前記第１接続口と前記第２接続口とは、異なる形状に形成されている
ことを特徴とする請求項１記載の制御装置。
【請求項３】
前記第１接続口と前記第２接続口とは、前記第１筐体において互いに異なる面に配置されている
ことを特徴とする請求項１または請求項２記載の制御装置。
【請求項４】
前記第２接続口は、前記第１筐体のうち、前記第１筐体が前記第２筐体の内部に配置されているときに前記第２筐体により覆われる位置に、配置されている
ことを特徴とする請求項１ないし請求項３のいずれか１項に記載の制御装置。
【請求項５】
前記第１接続口は、前記第１筐体のうち、前記第１筐体が前記第２筐体の内部に配置されていないときに前記第１筐体を設置する設置面により覆われる位置に、配置されている
ことを特徴とする請求項１ないし請求項４のいずれか１項に記載の制御装置。
【請求項６】
前記第１接続口は、前記第１筐体のうち、前記第１筐体が前記第２筐体の内部に配置されていないときに前記第１筐体を保持する保持具により覆われる位置に、配置されている
ことを特徴とする請求項１ないし請求項４のいずれか１項に記載の制御装置。
【請求項７】
前記第１接続口に入力される第１電圧および前記第２接続口に入力される第２電圧を検出する検出部と、前記第１電源と前記第２電源との少なくとも一方が異常であることを報知する報知部とを、更に備え、
前記報知部は、前記検出部により検出された電圧に応じて、前記少なくとも一方が異常であることを報知するように構成されている
ことを特徴とする請求項１ないし請求項６のいずれか１項に記載の制御装置。
【請求項８】
前記本体部は、前記判定部により判定された結果に応じて、動作状態を切り替えるように構成されている
ことを特徴とする請求項１ないし請求項７のいずれか１項に記載の制御装置。
【請求項９】
前記本体部の動作に関する情報を表示する表示部を、更に備え、
前記本体部は、前記動作状態の切り替えに伴い、前記表示部が表示する前記情報を変更するように構成されている
ことを特徴とする請求項８記載の制御装置。
【請求項１０】
前記通信部は、前記判定部により前記第１筐体が前記第２筐体の内部に配置されていると判定されたときに、前記外部機器である第１外部機器とは異なる第２外部機器と通信するように構成されている
ことを特徴とする請求項１ないし請求項９のいずれか１項に記載の制御装置。
【請求項１１】
請求項１ないし請求項１０のいずれか１項に記載の制御装置と、前記制御装置を収納する前記第２筐体とを備えている
ことを特徴とする分電盤。
【請求項１２】
請求項１ないし請求項１０のいずれか１項に記載の制御装置と、前記制御装置を収納する前記第２筐体とを備えている
ことを特徴とするインターホン装置。
【発明の詳細な説明】
【技術分野】
【０００１】
本発明は、一般に、制御装置およびそれを用いた分電盤並びにインターホン装置に関し、より詳細には、家電機器等の電気機器を制御する制御装置およびそれを用いた分電盤並びにインターホン装置に関する。
【背景技術】
【０００２】
従来、分電盤と、通信機能を有する電力メータ（スマートメータ）と、エアコン、冷蔵庫、洗濯機等の家電機器とを備えた無線通信システムが提案されている（特許文献１）。
【０００３】
分電盤の筐体の内部には、通信機能を備えたＨＥＭＳ（Home Energy Management System）管理装置が配置されている。
【０００４】
ＨＥＭＳ管理装置は、電力計測部と、無線通信装置とを備えている。電力計測部は、住宅内で消費される電力の計測機能を有している。無線通信装置は、家電機器等の管理制御機能と、スマートメータとの通信機能とを有している。
【０００５】
特許文献１には、無線通信装置が、分電盤の筐体の外部に配置されていてもよい旨が記載されている。
【先行技術文献】
【特許文献】
【０００６】
【特許文献１】国際公開第２０１３／０７３５４８号
【発明の概要】
【発明が解決しようとする課題】
【０００７】
特許文献１に記載された無線通信システムにおける無線通信装置では、そもそも分電盤の筐体の内部および外部で共に使用することを意図しておらず、分電盤の筐体の内部または外部のどちらに配置されているか、無線通信装置自身で判断することが難しい。そのため、上述の無線通信装置では、例えば、筐体の内部に配置された場合の動作と筐体の外部に配置された場合の動作とを、自動的に切り替えることが困難である。
【０００８】
本発明の目的は、筐体の内部または外部のどちらに配置されているか自身で判断することが可能な制御装置およびそれを用いた分電盤並びにインターホン装置を提供することにある。
【課題を解決するための手段】
【０００９】
本発明の制御装置は、第１接続口および第２接続口が設けられた第１筐体と、前記第１筐体に収納され前記第１接続口および前記第２接続口と電気的に接続された本体部とを備えている。前記第１接続口は、第１電源を電気的に接続可能に構成されている。前記第２接続口は、第２電源を電気的に接続可能に構成されている。前記本体部は、前記第１電源もしくは前記第２電源から電力が供給されるように構成されている。また、前記本体部は、制御対象である外部機器を制御する制御部と、前記外部機器と通信する通信部と、前記第１筐体を収納可能な第２筐体の内部に前記第１筐体が配置されているか否かを判定する判定部とを備えている。前記判定部は、前記第１接続口に前記第１電源が接続されたときに、前記第１筐体が前記第２筐体の内部に配置されていると判定するように構成されている。また、前記判定部は、前記第２接続口に前記第２電源が接続されたときに、前記第１筐体が前記第２筐体の内部に配置されていないと判定するように構成されている。
【００１０】
本発明の分電盤は、前記制御装置と、前記制御装置を収納する前記第２筐体とを備えている。
【００１１】
本発明のインターホン装置は、前記制御装置と、前記制御装置を収納する前記第２筐体とを備えている。
【発明の効果】
【００１２】
本発明の制御装置においては、第２筐体の内部または外部のどちらに配置されているか自身で判断することが可能となる。
【００１３】
本発明の分電盤においては、第２筐体の内部または外部のどちらに配置されているか自身で判断することが可能な制御装置を備えた分電盤を提供することができる。
【００１４】
本発明のインターホン装置においては、第２筐体の内部または外部のどちらに配置されているか自身で判断することが可能な制御装置を備えたインターホン装置を提供することができる。
【図面の簡単な説明】
【００１５】
【図１】一実施形態の制御装置を示す概略構成図である。
【図２】一実施形態の制御装置を備えた分電盤の使用例を示す概略構成図である。
【図３】一実施形態の制御装置が分電盤の第２筐体に取り付けられた状態を示す一部破断された斜視図である。
【図４】一実施形態の制御装置を備えたインターホン装置の使用例を示す概略構成図である。
【図５】一実施形態の制御装置が設置面に設置された状態を示す一部破断された斜視図である。
【図６】一実施形態の制御装置が保持具により保持された状態を示す斜視図である。
【発明を実施するための形態】
【００１６】
以下では、一実施形態の制御装置１０について、図１〜図３を参照しながら説明する。
【００１７】
制御装置１０は、第１筐体４と、本体部３とを備えている。制御装置１０は、例えば、分電盤２０（図２参照）における第２筐体２１の内部に配置される。
【００１８】
第１筐体４は、本体部３を収納するように構成されている。第１筐体４は、例えば、合成樹脂により構成されている。また、第１筐体４は、例えば、箱状（例えば、矩形箱状）に形成されている。第１筐体４には、第１筐体４を第２筐体２１に取り付ける取付片が、複数箇所に設けられている。また、第１筐体４には、第１接続口１および第２接続口２が設けられている。
【００１９】
第１接続口１は、第１電源を電気的に接続可能に構成されている。第１接続口１は、例えば、コネクタ（以下、「第１コネクタ」）である。第１接続口１は、例えば、上記第１電源の第１電源線１３（図２参照）に設けられた第２コネクタと電気的および機械的に接続されるように構成されている。上記第１電源は、第１電圧を出力するように構成されている。第１電圧は、例えば、直流電圧である。上記第１電源は、分電盤２０において後述の計測ユニット２４（図２参照）内に、設けられている。なお、上記第１電源は、計測ユニット２４とは別に設けられていてもよい。また、上記第１電源は、例えば、分電盤２０に設けられた主幹ブレーカ２２（図２参照）における二次側から電力供給を受けて第１電圧を出力するように構成されている。
【００２０】
第２接続口２は、第２電源を電気的に接続可能に構成されている。第２接続口２は、例えば、コネクタ（以下、「第３コネクタ」）である。第２接続口２は、例えば、上記第２電源の第２電源線に設けられた第４コネクタと電気的および機械的に接続されるように構成されている。上記第２電源は、例えば、ＡＣアダプタである。また、上記第２電源は、商用電源からの交流電圧を第２電圧に変換するように構成されている。第２電圧は、例えば、直流電圧である。第２電圧の電圧値は、例えば、第１電圧の電圧値と同じ大きさに設定されているが、第１電圧の電圧値と異なる大きさに設定されていてもよい。
【００２１】
第１接続口１と第２接続口２とは、例えば、図３に示すように、異なる形状に形成されていることが好ましい。これにより、制御装置１０では、例えば、第２接続口２に、第１電源線１３の第２コネクタが誤って接続されるのを防止することが可能となる。
【００２２】
第１接続口１と第２接続口２とは、例えば、図３に示すように、第１筐体４において互いに異なる面に配置されている。なお、第１接続口１と第２接続口２とは、第１筐体４において互いに同じ面に配置されていてもよい。ただし、制御装置１０では、第１接続口１と第２接続口２とが、第１筐体４において互いに異なる面に配置されていることによって、例えば、第２接続口２に、第１電源線１３の第２コネクタが誤って接続され難くなる。
【００２３】
本体部３は、制御部５と、通信部６と、判定部７とを備えている。また、本体部３は、第１接続口１および第２接続口２と電気的に接続されている。
【００２４】
制御部５は、制御対象である外部機器５０（図２参照）を制御するように構成されている。制御部５は、例えば、マイクロコンピュータである。なお、制御部５は、マイクロコンピュータに限らず、例えば、制御用ＩＣであってもよい。また、外部機器５０は、第１外部機器に相当する。
【００２５】
外部機器５０は、例えば、通信機能を有する電気機器である。通信機能を有する電気機器としては、例えば、エアコン、給湯器、ＩＨ（Induction Heating）調理器等が挙げられる。また、通信機能を有する電気機器としては、例えば、太陽光発電装置、蓄電装置等も挙げられる。太陽光発電装置は、例えば、太陽電池である。蓄電装置は、例えば、リチウムイオン電池等の蓄電池である。
【００２６】
通信部６は、外部機器５０と通信するように構成されている。通信部６は、送信回路と、受信回路とを備えている。送信回路および受信回路の各々は、制御部５と電気的に接続されている。
【００２７】
通信部６は、外部機器５０との間で、例えば、電波を媒体として無線通信を行うように構成されている。具体的に説明すると、通信部６は、例えば、９２０ＭＨｚ帯の特定小電力無線通信を利用して無線通信を行うように構成されている。なお、通信部６は、９２０ＭＨｚ帯の特定小電力無線通信を利用して無線通信を行うように構成されているが、この構成に限らない。通信部６は、例えば、無線ＬＡＮ通信を利用して無線通信を行うように構成されていてもよい。また、通信部６は、外部機器５０との間で、無線通信を行うように構成されているが、例えば、通信線を媒体として有線通信を行うように構成されていてもよい。また、通信部６は、外部機器５０との間で、無線通信と有線通信との両方の通信が可能に構成されていてもよい。
【００２８】
判定部７は、分電盤２０における第２筐体２１の内部に、第１筐体４が配置されているか否かを判定するように構成されている。制御装置１０では、制御部５が、判定部７を備えているが、この構成に特に限定されない。
【００２９】
本体部３は、上記第１電源もしくは上記第２電源から電力が供給されるように構成されている。また、本体部３は、電源部８と、検出部９とを備えている。
【００３０】
電源部８は、例えば、制御部５および通信部６に電力を供給するように構成されている。電源部８は、例えば、第１電源回路８ａと、第２電源回路８ｂとを備えている。
【００３１】
第１電源回路８ａは、例えば、電解コンデンサである。第１電源回路８ａは、第１接続口１と電気的に接続されている。また、第１電源回路８ａは、制御部５および通信部６と電気的に接続されている。なお、第１電源回路８ａは、電解コンデンサに限らず、例えば、第１電圧を所定の直流電圧に変換するＤＣ／ＤＣコンバータ等であってもよい。
【００３２】
第２電源回路８ｂは、例えば、電解コンデンサである。第２電源回路８ｂは、第２接続口２と電気的に接続されている。また、第２電源回路８ｂは、制御部５および通信部６と電気的に接続されている。なお、第２電源回路８ｂは、電解コンデンサに限らず、例えば、第２電圧を上記所定の直流電圧に変換するＤＣ／ＤＣコンバータ等であってもよい。
【００３３】
第１電圧は、直流電圧に限らず、交流電圧であってもよい。この場合、第１電源回路８ａは、例えば、交流電圧を直流電圧に変換するＡＣ／ＤＣコンバータ等であればよい。また、第２電圧は、直流電圧に限らず、交流電圧であってもよい。この場合、第２電源回路８ｂは、例えば、交流電圧を直流電圧に変換するＡＣ／ＤＣコンバータ等であればよい。
【００３４】
電源部８は、第１電源回路８ａおよび第２電源回路８ｂの２つの電源回路を備えているが、この構成に限らず、例えば、第１電源回路８ａの機能と第２電源回路８ｂの機能とを有する１つの電源回路を備えていてもよい。
【００３５】
検出部９は、第１接続口１に入力される第１電圧および第２接続口２に入力される第２電圧を検出するように構成されている。検出部９は、第１検出回路９ａと、第２検出回路９ｂとを備えている。
【００３６】
第１検出回路９ａは、第１電圧を検出するように構成されている。第１検出回路９ａは、例えば、抵抗分圧回路である。第１検出回路９ａは、第１接続口１と電気的に接続されている。また、第１検出回路９ａは、制御部５と電気的に接続されている。
【００３７】
第２検出回路９ｂは、第２電圧を検出するように構成されている。第２検出回路９ｂは、例えば、抵抗分圧回路である。第２検出回路９ｂは、第２接続口２と電気的に接続されている。また、第２検出回路９ｂは、制御部５と電気的に接続されている。
【００３８】
ところで、判定部７は、第１接続口１に上記第１電源が接続されたときに、第１筐体４が第２筐体２１の内部に配置されていると判定するように構成されている。また、判定部７は、第２接続口２に上記第２電源が接続されたときに、第１筐体４が第２筐体２１の内部に配置されていないと判定するように構成されている。具体的に説明すると、判定部７は、第１検出回路９ａにより検出された電圧が第１閾値以上のときに、第１筐体４が第２筐体２１の内部に配置されていると判定するように構成されている。また、判定部７は、第２検出回路９ｂにより検出された電圧が第２閾値以上のときに、第１筐体４が第２筐体２１の内部に配置されていないと判定するように構成されている。これにより、制御装置１０では、分電盤２０における第２筐体２１の内部または外部のどちらに配置されているか自身で判断することが可能となる。なお、制御装置１０では、第１閾値と第２閾値とが、同じ大きさに設定されている。
【００３９】
第２接続口２は、例えば、図３に示すように、第１筐体４のうち、第１筐体４が第２筐体２１の内部に配置されているときに第２筐体２１により覆われる位置に、配置されていることが好ましい。これにより、制御装置１０では、第１筐体４が第２筐体２１の内部に配置されたとき、第２接続口２が第２筐体２１により覆われるので、第２接続口２に、第１電源線１３の第２コネクタが誤って接続されるのを防止することが可能となる。
【００４０】
本体部３は、判定部７により判定された結果に応じて、動作状態を切り替えるように構成されている。一例を挙げて説明すると、本体部３は、第１筐体４が第２筐体２１の内部に配置されたときに実行する第１動作モードと、第１筐体４が第２筐体２１の外部に配置されたときに実行する第２動作モードとを有している。制御部５は、判定部７により第１筐体４が第２筐体２１の内部に配置されていると判定されたときに、第１動作モードを選択するように構成されている。また、制御部５は、判定部７により第１筐体４が第２筐体２１の内部に配置されていないと判定されたときに、第２動作モードを選択するように構成されている。これにより、制御装置１０では、例えば、第１筐体４が第２筐体２１の内部に配置された場合の動作と、第１筐体４が第２筐体の外部に配置された場合の動作とを、自動的に切り替えることが可能となる。なお、制御装置１０では、上記マイクロコンピュータに設けられた記憶部に、第１動作モードが記述された第１プログラムと、第２動作モードが記述された第２プログラムとが、記憶されている。
【００４１】
通信部６は、判定部７により第１筐体４が第２筐体２１の内部に配置されていると判定されたときに、外部機器５１（図２参照）と通信するように構成されている。外部機器５１は、例えば、操作端末である。具体的に説明すると、制御部５は、判定部７により第１筐体４が第２筐体２１の内部に配置されていると判定されたときに、通信部６を制御し、かつ、通信部６が外部機器５１と通信するように構成されている。これにより、制御装置１０では、第１筐体４が第２筐体２１の内部に配置されたとき、例えば、外部機器５１を用いて遠隔操作により制御装置１０の設定等を変更することが可能となる。なお、外部機器５１は、第２外部機器に相当する。また、外部機器５１は、操作端末に限らず、例えば、表示端末等であってもよい。
【００４２】
制御装置１０は、報知部１１と、表示部１２とを、更に備えている。
【００４３】
報知部１１は、検出部９により検出された電圧に応じて、上記第１電源と上記第２電源との少なくとも一方が異常であることを報知するように構成されている。報知部１１は、例えば、音響装置を備えている。音響装置としては、例えば、ブザー、スピーカ等が挙げられる。音響装置は、制御部５と電気的に接続されている。
【００４４】
判定部７は、上記第１電源と上記第２電源との少なくとも一方が異常であるか否かを判定する機能を備えている。
【００４５】
具体的に説明すると、判定部７は、第１電圧が第１基準電圧よりも大きな電圧であるか否かを判定するように構成されている。判定部７は、第１電圧が第１基準電圧よりも大きな電圧であるとき、上記第１電源が異常であると判定する。一方、判定部７は、第１電圧が第１基準電圧以下であるとき、上記第１電源が異常でないと判定する。
【００４６】
また、判定部７は、第２電圧が第２基準電圧よりも大きな電圧であるか否かを判定するように構成されている。判定部７は、第２電圧が第２基準電圧よりも大きな電圧であるとき、上記第２電源が異常であると判定する。一方、判定部７は、第２電圧が第２基準電圧以下であるとき、上記第２電源が異常でないと判定する。
【００４７】
さらに、判定部７は、上記第１電源と上記第２電源との両方が異常であるか否かを判定するように構成されている。判定部７は、第１接続口１に第１電圧が入力され、かつ、第２接続口２に第２電圧が入力されたとき、上記第１電源と上記第２電源との両方が異常であると判定する。
【００４８】
制御部５は、判定部７により上記第１電源と上記第２電源との少なくとも一方が異常であると判定されたときに、報知部１１を制御するように構成されている。制御部５は、音響装置がブザーである場合、判定部７により上記第１電源と上記第２電源との少なくとも一方が異常であると判定されたとき、音響装置が判定部７の判定結果に基づいてブザー音を１回あるいは複数回出力するように、報知部１１を制御すればよい。また、制御部５は、音響装置がスピーカである場合、判定部７により上記第１電源と上記第２電源との少なくとも一方が異常であると判定されたとき、音響装置が判定部７の判定結果に基づいた音声を発するように、報知部１１を制御すればよい。これにより、制御装置１０では、第１接続口１に接続された上記第１電源と、第２接続口２に接続された上記第２電源との少なくとも一方が異常であるとき、報知部１１にて報知することが可能となる。よって、制御装置１０では、例えば、施工時において、第１接続口１に第１電源線１３の第２コネクタが接続され、かつ、第２接続口２に第２電源線の第４コネクタが接続されるのを防止することが可能となる。
【００４９】
報知部１１は、音響装置を備えているが、これに限らず、例えば、光出力装置を備えていてもよい。光出力装置としては、例えば、発光ダイオード等が挙げられる。制御部５は、判定部７により上記第１電源と上記第２電源との少なくとも一方が異常であると判定されたとき、例えば、光出力装置が点灯状態を変更する（例えば、点滅する）ように、報知部１１を制御すればよい。また、制御部５は、判定部７の判定結果に基づいて、光出力装置が点滅する回数を変更するように、報知部１１を制御するように構成されていてもよい。
【００５０】
また、報知部１１は、音響装置と光出力装置とのいずれか一方を備える構成に限らず、音響装置と光出力装置との両方を備える構成であってもよい。
【００５１】
制御部５は、判定部７により上記第１電源と上記第２電源との少なくとも一方が異常であると判定されたときに、報知部１１を制御するように構成されているが、この構成に限らない。制御部５は、判定部７により上記第１電源と上記第２電源との少なくとも一方が異常であると判定されたときに、報知部１１を制御し、かつ、電源部８を制御するように構成されていてもよい。より詳細に説明すると、制御部５は、判定部７により上記第１電源と上記第２電源との少なくとも一方が異常であると判定されたときに、報知部１１を制御し、かつ、電源部８から制御部５および通信部６への給電を停止するように構成されていてもよい。これにより、制御装置１０では、例えば、制御部５および通信部６に過電圧が印加されるのを抑制することが可能となる。
【００５２】
表示部１２は、本体部３の動作に関する情報（以下、「第１情報」）を表示するように構成されている。表示部１２は、例えば、発光ダイオードである。表示部１２は、制御部５と電気的に接続されている。なお、第１情報とは、例えば、本体部３により選択された動作モード（第１動作モードあるいは第２動作モード）を示す情報等を意味する。
【００５３】
制御部５は、表示部１２を制御するように構成されている。
【００５４】
本体部３は、判定部７により判定された結果に応じて、動作状態の切り替えに伴い、表示部１２が表示する第１情報を変更するように構成されている。具体的に説明すると、制御部５は、判定部７により判定された結果に応じて表示部１２が表示する第１情報を変更するように、表示部１２を制御する。制御装置１０では、例えば、第１情報を、発光ダイオードの点灯状態により表している。これにより、制御装置１０では、例えば、本体部３により選択された動作モードを、人に視認させることが可能となる。なお、表示部１２は、発光ダイオードに限らず、例えば、７セグメントディスプレイ、液晶ディスプレイ等であってもよい。
【００５５】
また、表示部１２は、第１表示部と、第２表示部とを備えていてもよい。第１表示部および第２表示部の各々は、本体部３の動作に関する情報（以下、「第２情報」）を表示するように構成される。第１表示部および第２表示部の各々は、例えば、液晶ディスプレイである。第１表示部は、例えば、第１筐体４において第１接続口１と同じ面に配置される。第２表示部は、例えば、第１筐体４において第２接続口２と同じ面に配置される。なお、第２情報とは、例えば、本体部３により選択された動作モードに関する情報等を意味する。
【００５６】
制御部５は、第１表示部および第２表示部を各別に制御するように構成される。また、制御部５は、判定部７により判定された結果に応じて、第１表示部もしくは第２表示部に第２情報を表示させるように構成されている。具体的に説明すると、制御部５は、判定部７により第１筐体４が第２筐体２１の内部に配置されていると判定されたときに、第１表示部に第２情報を表示させる。また、制御部５は、判定部７により第１筐体４が第２筐体２１の内部に配置されていないと判定されたときに、第２表示部に第２情報を表示させる。これにより、制御装置１０では、第１筐体４が第２筐体２１の内部または外部に配置されたとき、第１表示部と第２表示部との一方のみを動作させることが可能となる。よって、制御装置１０では、第１筐体４が第２筐体２１の内部または外部に配置されたとき、第１表示部と第２表示部との両方を動作させた場合に比べて、低消費電力化を図ることが可能となる。また、制御装置１０では、本体部３が、判定部７により判定された結果に応じて、本体部３の動作に関する情報を表示させる位置を変更することが可能となる。
【００５７】
以上説明した一実施形態の制御装置１０は、第１接続口１および第２接続口２が設けられた第１筐体４と、第１筐体４に収納され第１接続口１および第２接続口２と電気的に接続された本体部３とを備えている。第１接続口１は、上記第１電源を電気的に接続可能に構成されている。第２接続口２は、上記第２電源を電気的に接続可能に構成されている。本体部３は、上記第１電源もしくは上記第２電源から電力が供給されるように構成されている。また、本体部３は、制御対象である外部機器５０を制御する制御部５と、外部機器５０と通信する通信部６と、第１筐体４を収納可能な第２筐体２１の内部に第１筐体４が配置されているか否かを判定する判定部７とを備えている。判定部７は、第１接続口１に上記第１電源が接続されたときに、第１筐体４が第２筐体２１の内部に配置されていると判定するように構成されている。また、判定部７は、第２接続口２に上記第２電源が接続されたときに、第１筐体４が第２筐体２１の内部に配置されていないと判定するように構成されている。これにより、制御装置１０では、分電盤２０における第２筐体２１の内部または外部のどちらに配置されているか自身で判断することが可能となる。
【００５８】
第１接続口１と第２接続口２とは、異なる形状に形成されていることが好ましい。これにより、制御装置１０では、例えば、第２接続口２に、第１電源線１３の第２コネクタが誤って接続されるのを防止することが可能となる。
【００５９】
第１接続口１と第２接続口２とは、上述のように、第１筐体４において互いに異なる面に配置されていることが好ましい。これにより、制御装置１０では、例えば、第２接続口２に、第１電源線１３の第２コネクタが誤って接続され難くなる。
【００６０】
第２接続口２は、上述のように、第１筐体４のうち、第１筐体４が第２筐体２１の内部に配置されているときに第２筐体２１により覆われる位置に、配置されていることが好ましい。これにより、制御装置１０では、第１筐体４が第２筐体２１の内部に配置されたとき、第２接続口２が第２筐体２１により覆われるので、第２接続口２に、第１電源線１３の第２コネクタが誤って接続されるのを防止することが可能となる。
【００６１】
制御装置１０は、上述のように、第１接続口１に入力される第１電圧および第２接続口２に入力される第２電圧を検出する検出部９と、上記第１電源と上記第２電源との少なくとも一方が異常であることを報知する報知部１１とを、更に備えていることが好ましい。報知部１１は、上述のように、検出部９により検出された電圧に応じて、上記第１電源と上記第２電源との少なくとも一方が異常であることを報知するように構成されていることが好ましい。これにより、制御装置１０では、第１接続口１に接続された上記第１電源と、第２接続口２に接続された上記第２電源との少なくとも一方が異常であるとき、報知部１１にて報知することが可能となる。よって、制御装置１０では、例えば、施工時において、第１接続口１に第１電源線１３の第２コネクタが接続され、かつ、第２接続口２に第２電源線の第４コネクタが接続されるのを防止することが可能となる。
【００６２】
本体部３は、上述のように、判定部７により判定された結果に応じて、動作状態を切り替えるように構成されていることが好ましい。これにより、制御装置１０では、例えば、第１筐体４が第２筐体２１の内部に配置された場合の動作と、第１筐体４が第２筐体の外部に配置された場合の動作とを、自動的に切り替えることが可能となる。
【００６３】
制御装置１０は、上述のように、本体部３の動作に関する情報を表示する表示部１２を、更に備えていることが好ましい。本体部３は、上述のように、動作状態の切り替えに伴い、表示部１２が表示する情報を変更するように構成されていることが好ましい。これにより、制御装置１０では、例えば、本体部３により選択された動作モードを、人に視認させることが可能となる。
【００６４】
通信部６は、上述のように、判定部７により第１筐体４が第２筐体２１の内部に配置されていると判定されたときに、外部機器５０である第１外部機器とは異なる第２外部機器（外部機器５１）と通信するように構成されていることが好ましい。これにより、制御装置１０では、第１筐体４が第２筐体２１の内部に配置されたとき、例えば、第２外部機器を用いて遠隔操作により制御装置１０の設定等を変更することが可能となる。
【００６５】
以下、制御装置１０を備えた分電盤２０について、図２に基づいて簡単に説明する。
【００６６】
分電盤２０は、制御装置１０と、第２筐体２１とを備えている。
【００６７】
第２筐体２１は、制御装置１０、主幹ブレーカ２２および複数の分岐ブレーカ２３等を収納するように構成されている。第２筐体２１は、例えば、合成樹脂により構成されている。また、第２筐体２１は、例えば、箱状（例えば、矩形箱状）に形成されている。第２筐体２１は、例えば、戸建て住宅内の壁面に取り付けられる。分電盤２０は、複数の分岐ブレーカ２３の各々に、外部機器５０が電気的に接続される。
【００６８】
また、分電盤２０は、計測ユニット２４と、通信アダプタ２５とを備えている。なお、計測ユニット２４は、上記第１電源を備えている。
【００６９】
計測ユニット２４は、例えば、カレントトランス等の電流センサの出力電流を用いて特定の回路の電力を計測するように構成されている。上記電流センサは、主幹ブレーカ２２における一次側と磁気的に結合されている。
【００７０】
また、計測ユニット２４は、複数の電流センサ２９を具備するセンサブロック２８と電気的に接続されている。センサブロック２８は、複数の分岐ブレーカ２３に流れる電流を検出するように構成されている。電流センサ２９は、例えば、ロゴスキーコイルである。なお、電流センサ２９は、ＧＭＲ（Giant Magneto-Resistive）素子等であってもよい。
【００７１】
計測ユニット２４は、制御装置１０と電気的に接続されている。また、計測ユニット２４は、制御装置１０と通信（例えば、有線通信）が可能に構成されている。
【００７２】
通信アダプタ２５は、通信機能を備えた電力量計５２と通信（例えば、無線通信）が可能に構成されている。また、通信アダプタ２５は、端子台２７を介して主幹ブレーカ２２と電気的に接続されている。
【００７３】
通信アダプタ２５は、制御装置１０と電気的に接続されている。また、通信アダプタ２５は、制御装置１０と通信（例えば、有線通信）が可能に構成されている。
【００７４】
制御装置１０は、計測ユニット２４および通信アダプタ２５を各別に制御するように構成されている。また、制御装置１０は、例えば、計測ユニット２４により計測された電力と、電力量計５２により受信された節電要請とに基づいて、外部機器５０を制御するように構成されている。これにより、分電盤２０では、例えば、電力会社からの節電要請があったときに、制御装置１０が自動的に外部機器５０を制御することが可能となり、利便性の向上を図ることが可能となる。なお、節電要請とは、例えば、エネルギー需要のピーク時に需要家宅の電力使用量を削減するための要請を意味する。
【００７５】
以上説明した一実施形態の分電盤２０は、制御装置１０と、制御装置１０を収納する第２筐体２１とを備えている。これにより、分電盤２０では、第２筐体２１の内部または外部のどちらに配置されているか自身で判断することが可能な制御装置１０を備えた分電盤２０を提供することができる。
【００７６】
制御装置１０は、分電盤２０における第２筐体２１の内部に配置されているが、この構成に限らない。制御装置１０は、例えば、図４に示すように、インターホン装置３０における筐体４０の内部に配置されていてもよい。つまり、制御装置１０は、分電盤２０における第２筐体２１の代わりに、インターホン装置３０における筐体４０の内部に配置されていてもよい。
【００７７】
以下、制御装置１０を備えたインターホン装置３０について、図４に基づいて簡単に説明する。
【００７８】
インターホン装置３０は、制御装置１０と、筐体４０とを備えている。
【００７９】
筐体４０は、制御装置１０等を収納するように構成されている。筐体４０は、例えば、合成樹脂により構成されている。また、筐体４０は、例えば、箱状（例えば、矩形箱状）に形成されている。
【００８０】
インターホン装置３０は、例えば、戸建て住宅向けのインターホンシステムとして利用され、住宅内に設置されるインターホン親機である。また、インターホン装置３０は、住宅外（例えば、玄関先）に設置されるインターホン子機３１と、例えば、２線式の信号線３３を媒体として通信するように構成されている。
【００８１】
インターホン子機３１は、呼出釦を具備する呼出部３４と、居住者と通話するための第１通話部３５と、所定エリアを撮像して映像を得る撮像部３６と、上記所定エリアを照射する照明部３７とを備えている。また、インターホン子機３１は、インターホン装置３０と通信する第１通信部３８と、撮像部３６、照明部３７および第１通信部３８を制御する第１制御部３９と、電力を供給する電源部とを備えている。さらに、インターホン子機３１は、呼出部３４、第１通話部３５、撮像部３６、照明部３７、第１通信部３８、第１制御部３９および上記電源部を収納する筐体３２を備えている。筐体３２は、例えば、合成樹脂により構成されている。また、筐体３２は、例えば、箱状（例えば、矩形箱状）に形成されている。
【００８２】
また、インターホン装置３０は、第１通信部３８と通信する第２通信部４１と、撮像部３６で撮像して得られた映像等を表示する表示部４２と、応答釦および操作釦を具備する操作部４３とを備えている。さらに、インターホン装置３０は、来訪者と通話するための第２通話部４４と、第２通信部４１、表示部４２および第２通話部４４を制御する第２制御部４５と、上記電源部へ給電する給電部とを備えている。
【００８３】
制御装置１０は、第２制御部４５と電気的に接続されている。また、制御装置１０は、操作部４３の操作釦により設定された条件に基づいて、外部機器５０を制御するように構成されている。
【００８４】
以上説明した一実施形態のインターホン装置３０は、制御装置１０と、制御装置１０を収納する筐体４０（第２筐体）とを備えている。これにより、インターホン装置３０では、筐体４０の内部または外部のどちらに配置されているか自身で判断することが可能な制御装置１０を備えたインターホン装置３０を提供することができる。
【００８５】
制御装置１０は、分電盤２０における第２筐体２１の内部もしくはインターホン装置３０における筐体４０の内部に配置されているが、この構成に限らない。制御装置１０は、例えば、図５に示すように、第２筐体２１や筐体４０の外部に配置されていてもよい。この場合、制御装置１０は、例えば、第１筐体４を設置する設置面５５（図５参照）上に配置される。また、第１接続口１は、第１筐体４のうち設置面５５により覆われる位置に、配置されていることが好ましい。要するに、第１接続口１は、第１筐体４のうち、第１筐体４が第２筐体２１（あるいは筐体４０）の内部に配置されていないときに第１筐体４を設置する設置面５５により覆われる位置に、配置されていることが好ましい。これにより、制御装置１０では、第１筐体４が第２筐体２１（あるいは筐体４０）の外部に配置されたとき、第１接続口１が設置面５５により覆われるので、第１接続口１に、第２電源線の第４コネクタが誤って接続されるのを防止することが可能となる。
【００８６】
また、制御装置１０は、第１筐体４を設置する設置面５５上に配置される構成に限らず、例えば、図６に示すように、第１筐体４を保持する保持具５６により保持される構成であってもよい。この場合、第１接続口１は、第１筐体４のうち保持具５６により覆われる位置に、配置されていることが好ましい。要するに、第１接続口１は、第１筐体４のうち、第１筐体４が第２筐体２１（あるいは筐体４０）の内部に配置されていないときに第１筐体４を保持する保持具５６により覆われる位置に、配置されていることが好ましい。これにより、制御装置１０では、第１筐体４が第２筐体２１（あるいは筐体４０）の外部に配置されたとき、第１接続口１が保持具５６により覆われるので、第１接続口１に、第２電源線の第４コネクタが誤って接続されるのを防止することが可能となる。
【符号の説明】
【００８７】
１  第１接続口
２  第２接続口
３  本体部
４  第１筐体
５  制御部
６  通信部
７  判定部
９  検出部
１０  制御装置
１１  報知部
１２  表示部
２０  分電盤
２１  第２筐体
３０  インターホン装置
４０  筐体（第２筐体）
５０  外部機器（第１外部機器）
５１  外部機器（第２外部機器）
５５  設置面
５６  保持具
【図１】
2016082289.tif 000003
【図２】
2016082289.tif 000004
【図３】
2016082289.tif 000005
【図４】
2016082289.tif 000006
【図５】
2016082289.tif 000007
【図６】
2016082289.tif 000008